(57)【要約】【課題】本発明は、パネルに取り付けるパネルマウントコネクタプラグの取付構造に関し、従来構造では、複数個のコネクタにおいてそのタイプに相違があっても、それを取り付けるパネル側の取付孔の形状が同じで、それにより誤挿入のおそれがあることが課題であり、本発明によりそれを解決することである。【解決手段】コネクタの取付孔側の外周面に設けられた凹溝に嵌合されるコネクタ抜止め用の環状本体部とその環状本体部の一部に設けた切欠き部とでなる弾性係止片を有するパネルマウントコネクタと、前記パネルマウントコネクタを取り付ける平板状のパネルに穿設されている取付孔との取付構造において、異種の前記パネルマウントコネクタを前記取付孔に取り付ける場合に、一方のパネルマウントコネクタ側においてコネクタ側とパネル側との間で互いに相補的に取付可能に対応することで誤挿入を防止する誤挿入防止手段が設けられているパネルマウントコネクタ１の誤挿入防止構造とするものである。【選択図】図６
2014120258.tif 000002
【特許請求の範囲】
【請求項１】
コネクタの取付孔側の外周面に設けられた凹溝に嵌合されるコネクタ抜止め用の環状本体部とその環状本体部の一部に設けた切欠き部とでなる弾性係止片を有するパネルマウントコネクタと、
前記パネルマウントコネクタを取り付ける平板状のパネルに穿設されている取付孔との取付構造において、
異種の前記パネルマウントコネクタを前記取付孔に取り付ける場合に、一方のパネルマウントコネクタ側においてコネクタ側とパネル側との間で互いに相補的に取付可能に対応することで誤挿入を防止する誤挿入防止手段が設けられていること、
を特徴とするパネルマウントコネクタプラグの誤挿入防止構造。
【請求項２】
誤挿入防止構造は、
パネルマウントコネクタのジャック側における係止片用の段部と、前記ジャック用の取付孔において前記段部を通過させる通過溝とにおいて、少なくとも、  
前記パネルマウントコネクタのジャック側に誤挿入防止用の突起部若しくは凹部を設け、前記パネル側のジャック用取付孔には前記誤挿入防止用の突起部若しくは凹部に対応した凹部若しくは突起部が設けられ、
前記誤挿入防止構造が、係止片の突起部の取付孔通過時の収縮作用を邪魔しない範囲内に設けられていること、
を特徴とする請求項１に記載のパネルマウントコネクタの誤挿入防止構造。
【請求項３】
複数で同種類のパネルマウントコネクタがパネルに取付けられる場合には、係止片用の段部と該段部用の通過溝の以外に、突起と該突起が通過できる溝とでなる第２の誤挿入防止構造を、前記段部及び通過溝の位置に対して周方向において異なる位置に設けること、
を特徴とする請求項２に記載のパネルマウントコネクタの誤挿入防止構造。
【発明の詳細な説明】
【技術分野】
【０００１】
本発明は、屋外に設置される太陽光発電装置等における筐体を形成するパネルのコネクタ取付孔に水密性を維持して取付けるパネルマウントコネクタ（プラグとジャック）の誤挿入防止構造に関するものである。
【背景技術】
【０００２】
従来、パネルマウントコネクタにおけるプラグ及びジャックのパネル取付方法は、図７（Ａ），（Ｂ）に示すように、丸型のパネル取付用コネクタの同軸コンタクト２１、丸型コンタクト２２におけるパネル固定方法において、パネルの取付孔に前記コンタクトを装着した後に当該コンタクトが抜け出ないように、環状の凹溝２１ａ，２２ａに嵌合させた収縮可能な係止片２３を用いてワンタッチ式のロック方法となっているものが知られている。前記係止片２３の形状を図７（Ｃ）に示すように、環状で一部が切欠かれたリングであり、挿入方向に先細くしたテーパ状２３ａに形成されている。
【先行技術文献】
【特許文献】
【０００３】
【特許文献１】特開特開２００９−１０３６５５号公報
【発明の概要】
【発明が解決しようとする課題】
【０００４】
従来のパネルマウントコネクタは、平板状のパネルに穿設された丸形の取付孔に挿入して、前記リングにより抜け防止されるものであって、脱着防止用のリングを設けているが、複数のコネクタプラグとコネクタジャックとが、通常前記パネルに取付けられることが多い。しかしながら、それに対する誤挿入防止構造がなされていないので、前記コネクタの取付け工程において、パネルマウントコネクタプラグとパネルマウントコネクタジャック、その他異なるコネクタ等の異種のコネクタにおける、それぞれの取付け位置を誤るおそれがある。本発明に係るパネルマウントコネクタの誤挿入防止構造は、このような課題を解決するために提案されたものである。
【課題を解決するための手段】
【０００５】
本発明に係るパネルマウントコネクタの誤挿入防止構造の上記課題を解決して目的を達成するための要旨は、コネクタの取付孔側の外周面に設けられた凹溝に嵌合されるコネクタ抜止め用の環状本体部とその環状本体部の一部に設けた切欠き部とでなる弾性係止片を有するパネルマウントコネクタと、前記パネルマウントコネクタを取り付ける平板状のパネルに穿設されている取付孔との取付構造において、異種の前記パネルマウントコネクタを前記取付孔に取り付ける場合に、一方のパネルマウントコネクタ側においてコネクタ側とパネル側との間で互いに相補的に取付可能に対応することで誤挿入を防止する誤挿入防止手段が設けられていることである。
【０００６】
前記誤挿入防止構造は、パネルマウントコネクタのジャック側における係止片用の段部と、前記ジャック用の取付孔において前記段部を通過させる通過溝とにおいて、少なくとも、前記パネルマウントコネクタのジャック側に誤挿入防止用の突起部若しくは凹部を設け、前記パネル側のジャック用取付孔には前記誤挿入防止用の突起部若しくは凹部に対応した凹部若しくは突起部が設けられ、前記誤挿入防止構造が、係止片の突起部の取付孔通過時の収縮作用を邪魔しない範囲内に設けられていることである。
【０００７】
複数で同種類のパネルマウントコネクタがパネルに取り付けられる場合には、係止片用の段部と該段部用の通過溝の以外に、突起と該突起が通過できる溝とでなる第２の誤挿入防止構造を前記段部及び通過溝の位置に対して周方向において異なる位置に設けることを含むものである。
【発明の効果】
【０００８】
本発明のパネルマウントコネクタプラグの誤挿入防止構造によれば、誤挿入防止手段である、例えば、突起部若しくは凹部と、これに対応するパネルの取付孔の凹部若しくは突起部との構造により、異種のパネルマウントコネクタを取り違えて、パネルに取付けてしまうような作業ミスを事前に防ぐことができるとともに、抜止め用の係止片の取付孔挿通時の収縮を邪魔しない範囲において前記誤挿入防止構造が設けられているので、抜け止め作用を確実に発揮しつつ誤挿入も防止できるものである。
【０００９】
また、同種のコネクタを複数でパネルに取り付ける場合にも、第２の誤挿入防止手段を設ける位置を前記段部及び通過溝の位置に対して周方向において異なるように配置することで、事前に取付けミスを防止できるようになると言う優れた効果を奏するものである。
【図面の簡単な説明】
【００１０】
【図１−Ａ】パネルマウントコネクタプラグ１であって、係止片２を装着している実施例を示す斜視図（Ａ）と、平面図（Ｂ）とである。
【図１−Ｂ】係止片２の斜視図である。
【図２−Ａ】パネル３側の取付孔３ａの形状を示す正面図（Ａ），パネルマウントコネクタプラグ１を取り付けた状態の断面図（Ｂ）である。
【図２−Ｂ】同本発明のパネルマウントコネクタプラグ１を取付ける側で、パネルの取付孔３ａの各他の実施例に係る正面図（Ａ）〜（Ｃ）である。
【図３】同本発明に係るパネルマウントコネクタジャック１ｇにおける誤挿入防止構造の実施例を示す斜視図（Ａ）と平面図（Ｂ）とである。
【図４】同本発明に係るパネルマウントコネクタジャック１ｇを取付ける側のパネルの取付孔３ａを示す正面図（Ａ）と、他の実施例に係る取付孔３ａの正面図（Ｂ）〜（Ｄ）である。
【図５】他の実施例に係るパネルマウントコネクタプラグ１の斜視図である。
【図６】筐体のパネル３の取付孔３ａに固定したパネルマウントコネクタプラグ１とパネルマウントコネクタジャック１ｇとに、筐体内側においてウエッジ５をそれぞれ取り付けて、前記両コネクタの抜け防止を施す様子を順番に説明する説明斜視図（Ａ），（Ｂ），（Ｃ），（Ｄ）である。
【図７】従来例にかかる同軸コンタクトの平面図（Ａ）と、丸型コンタクトの平面図（Ｂ）と、係止片２３の斜視図（Ｃ）とである。
【発明を実施するための形態】
【００１１】
本発明に係るパネルマウントコネクタプラグとパネルマウントコネクタジャックとに係るパネルマウントコネクタの誤挿入防止構造は、図１乃至図４に示すように、係止片用の段部を通過させる通過溝をパネルの取付孔に設けるとともに、一方のパネルマウントコネクタに前記係止片の取付孔通過時の収縮作用を邪魔しない範囲において誤挿入防止手段を設けるものである。
【実施例１】
【００１２】
本発明に係るパネルマウントコネクタの誤挿入防止構造について説明する。図１−Ａに示すように、パネルマウントコネクタプラグ１は、当該コネクタプラグ１の取付孔側の外周面に設けられた凹溝１ａに嵌合されるコネクタ抜止め用の環状本体部２ｄと、その環状本体部２ｄの一部に設けた切欠き部２ｂとでなる弾性係止片２を有するパネルマウントコネクタプラグである。
【００１３】
図１−Ｂに示すように、前記パネルマウントコネクタプラグ１の凹溝１ａに嵌合する係止片２は、環状でその一部に切欠き部２ｂを有する本体部２ｄがある。該本体部２ｄの対向する両端縁部に、前記本体部２ｄの軸線ａ方向の端部に該本体部２ｄの端面から前記軸線ａ方向に突出させた突出部２ｃをそれぞれ設けている。
【００１４】
前記両突出部２ｃは、切欠き部２ｂを挟んで一対で対向して全部で４カ所にあるが、パネル３側の取付孔３ａとの引掛かりを確保するのが目的なので、最低限、軸線ａの後端側に突出部２ｃがあれば良いので、後端側のみに、切欠き部２ｂを挟んで対向した２カ所の突出部２ｃとすることも含むものである。更に、前記突出部２ｃが、係止片２の幅ｂよりも広くして軸線ａ方向に突出しているのは、嵌合相手の凹溝１ａにおいて、係止片２が遊嵌して摺接する範囲内の外周壁面に凸部等の障害物を形成することができないからである。
【００１５】
図２−Ａ（Ａ），（Ｂ）に示すように、前記パネルマウントコネクタプラグ１を取り付けるパネル３の、取付孔３ａがある。符号３ｃは、パネルマウントコネクタプラグ１側の段部１ｂが通過するための、通過溝を示している。また、凸リング３ｂは、前記係止片２が通過して拡張した後に、抜止め用の壁となるものである。
【００１６】
このようにして、図２−Ａ（Ｂ）に示すように、パネルマウントコネクタプラグ１が前記パネル３の取付孔３ａに装着されるものである。
【００１７】
前記パネルマウントコネクタプラグ１に対して、図３に示すように、異種であるパネルマウントコネクタジャック１ｇは、取付孔側の凹部１ａに環状の係止片２を遊嵌させ、前記凹部１ａの近傍に、挿入時の先方側と後方側の２箇所にスリット（凹部）１ｊを設けている。
【００１８】
前記スリット（凹部）１ｊを設ける位置は、図３（Ａ），（Ｂ）に示すように、ジャック側の第２の段部１ｋにおいて、係止片２が取付孔３ａ通過時に縮径する際、突起部２ａが周方向に移動して、両突起部２ａ間の最も狭くなる範囲を示す範囲ａの内側である。
【００１９】
よって、この範囲ａの内側に前記スリット１ｊが設けられるので、係止片２の縮径（収縮）作用の邪魔になることがない。こうして、係止片２による抜止め作用を確実にして、そのための第２の通過溝３ｆの範囲内において、誤挿入防止機構を兼用させて設けるようにしたものである。
【００２０】
前記プラグ側の段部１ｂと前記ジャック側の第２の段部１ｋとは、その横幅の大きさが、１ｂ＜１ｋとなっている。それと同様に、前記取付孔３ａの通過溝３ｃと、図４（Ａ）に示す第２の通過溝３ｆとは、溝の間隔の大きさが、３ｃ＜３ｆとなっていて、前記パネルマウントコネクタジャック１ｇを、図２−Ａ（Ａ）に示すパネルマウントコネクタプラグ用の取付孔３ａに挿入することができないようにしている。
【００２１】
また、図４（Ａ）に示すように、パネル３側の取付孔３ａには、突起部３ｄを設ける。
前記突起部３ｄを設ける位置は、前述と同様に、係止片２が取付孔３ａ通過時に縮径する際、突起部２ａが周方向に移動して、両突起部２ａ間の最も狭くなる範囲を示す範囲ａの内側である。
【００２２】
前記先方側のスリット（凹部）１ｊがパネル３の突起部３ｄを通過して、後方側のスリット（凹部）１ｊが前記突起部３ｄに嵌まる。この突起部３ｄと、前記スリット（凹部）１ｊとが、誤挿入防止手段となるものである。これにより、パネルマウントコネクタプラグ１を、図４（Ａ）に示すパネルマウントコネクタジャック用の取付孔３ａに挿入しても前記突起部３ｄに衝突して、挿入できないようにしている。
【００２３】
前記異種のパネルマウントコネクタプラグ１とパネルマウントコネクタジャック１ｇとをパネル３に取付けて固定する場合、前記誤挿入防止手段が一方のパネルマウントコネクタジャック１ｇ側にあることで、パネルマウントコネクタの誤挿入を防止できるのである。
【実施例２】
【００２４】
このほか、例えば、パネル３の取付孔３ａに、パネルマウントコネクタプラグ１が同種・複数個取り付けられる場合には、図５に示すように、段部１ｂから周方向に略９０度離れた位置に、突起部１ｆを一つ設ける。対応させてパネル３側の取付孔３ａにも、図２−Ｂ（Ａ）に示すように、溝３ｅを設ける。このようにすることで、同種の他のパネルマウントコネクタプラグ１との誤挿入を、第２の誤挿入防止手段により防止できる。
【００２５】
また、前記パネルマウントコネクタプラグ１が多数ある場合には、突起部１ｆの形成する位置を変えて対応し、パネル３側の取付孔３ａにおいても、図２−Ｂ（Ｂ），（Ｃ）に示すように、溝３ｅの位置を変えることで多数のパネルマウントコネクタプラグ１に対応することができる。
【００２６】
また、パネルマウントコネクタジャック１ｇにおいても、同種多数をパネル３に取り付ける場合には、図示してないが、第２の段部１ｋから周方向に離れた位置の各所に、突起部１ｆを一つ設ける。対応させてパネル３側の取付孔３ａにも、図４（Ｂ）〜（Ｄ）に示すように、それぞれ対応する位置に、溝３ｅを設けるようにする。
【００２７】
この場合、一つの取付孔３ａに複数の溝３ｅを設けてしまうと、複数のパネルマウントコネクタプラグ１（又はジャック１ｇ）を取り付けられるのは勿論だが、そのうちの一つの突起部１ｆを有するパネルマウントコネクタプラグ１（又はジャック１ｇ）までが取り付けられてしまうので、この弊害を避けるために、各取付孔３ａには、一つで、位置が異なる溝３ｅを設けるようにすることが、要件となる。
【００２８】
このようにして、パネル３に同種で複数個のパネルマウントコネクタプラグ１（またはジャック１ｇ）を取り付ける場合にも、第２の誤挿入防止手段において、溝の位置を相違するようにして、同種・複数の場合でも、誤挿入しないようにするものである。
【００２９】
本発明に係るパネルマウントコネクタプラグ１やパネルマウントコネクタジャック１ｇをパネル３に取り付けた後は、図６（Ａ）〜（Ｄ）に示すように、筐体内のプリント基板６にコンタクト１ｄを半田付けして接続し、係止片２の収縮防止突起５ａを有するウエッジ５を被せて、更に、樹脂を流し込んで、屋外の使用に耐えられる水密構造にするものである。
【産業上の利用可能性】
【００３０】
本発明に係るパネルマウントコネクタの誤挿入防止構造は、他のコネクタをパネルに取り付ける場合にも適用できる。
【符号の説明】
【００３１】
１          パネルマウントコネクタプラグ、  １ａ      凹溝、
１ｂ        段部、                          １ｃ      隔壁、
１ｄ        コンタクト、                    １ｅ      収納部、
１ｆ        突起部、
１ｇ        パネルマウントコネクタジャック、
１ｈ        半円ハウジング、
１ｉ        シールリング、                  １ｊ      スリット（凹部）、  
１ｋ        第２の段部、
２          係止片、                        ２ａ      突起部、
２ｂ        切欠き部、                      ２ｃ      突出部、
２ｄ        本体部、                  
３          相手部材（パネル又はケース）、
３ａ        取付孔、                        ３ｂ      凸リング、
３ｃ        通過溝、                        ３ｄ      突起部、
３ｅ        溝、                            ３ｆ      第２の通過溝、
５          ウエッジ、                      ５ａ      収縮防止突起、
５ｂ        固定脚部、                      ５ｃ      コンタクト逃げ部、
６          プリント基板、
２１        同軸コンタクト、                ２１ａ    凹溝、
２２        丸型コンタクト、                ２２ａ    凹溝、
２３        係止片、                        ２３ａ    テーパ状。
【図１−Ａ】
2014120258.tif 000003
【図１−Ｂ】
2014120258.tif 000004
【図２−Ａ】
2014120258.tif 000005
【図２−Ｂ】
2014120258.tif 000006
【図３】
2014120258.tif 000007
【図４】
2014120258.tif 000008
【図５】
2014120258.tif 000009
【図６】
2014120258.tif 000010
【図７】
2014120258.tif 000011